(57)【要約】【課題】ハイアングル撮影やローアングル撮影時に使用者がアイコンの表示座標と認識しタッチ操作した座標とアイコン表示機能に対応して設定された反応領域がずれ、撮像装置の使い勝手が悪い。【解決手段】レンズを具備する撮像装置本体部と、本体部に備えられた少なくとも操作機能及び操作の反応箇所または領域を表示可能な第一の表示手段と、その前面に配設されたタッチパネル装置と、撮像画像を表示する撮像装置本体から独立した第二の表示手段と、第二の表示手段を、撮像装置本体に対して収納位置と使用位置に回動可能とする第一の回転軸と使用位置において第二の表示手段をチルト方向に回動可能とする第二の回転軸を有するヒンジ手段と、を有する撮像装置で、第二の回転軸の回転角度検知手段と検知手段の出力に基づいてタッチパネル装置のタッチ反応領域を移動させる制御手段を有する。【選択図】図５
2016025481.tif 000002
【特許請求の範囲】
【請求項１】
レンズを具備する撮像装置本体部と、
前記本体部に備えられた少なくとも操作機能及び操作の反応箇所または領域を表示可能な第一の表示手段と、
その前面に配設されたタッチパネル装置と、
撮像画像を表示する前記撮像装置本体から独立した第二の表示手段と、
前記第二の表示手段を、前記撮像装置本体に対して収納位置と使用位置に回動可能とする第一の回転軸と使用位置において前記第二の表示手段をチルト方向に回動可能とする第二の回転軸を有するヒンジ手段と、
を有する撮像装置において、
前記第二の回転軸の回転角度検知手段と前記検知手段の出力に基づいて前記タッチパネル装置のタッチ反応領域を移動させる制御手段を有することを特徴とする撮像装置。
【発明の詳細な説明】
【技術分野】
【０００１】
本発明は、操作系にタッチパネル装置を有する撮像装置に関するものである。
【背景技術】
【０００２】
タッチパネル装置を有した撮像装置が知られる（特許文献１）。図８を用いて、従来のタッチパネル装置を有した撮像装置について説明する。図８に示すように、１００１は撮像装置本体、１００２は、撮像レンズ、１００３は、液晶表示装置、１００４はタッチパネル装置である。
【０００３】
従来のタッチパネル装置を有する撮像装置での操作について説明を行う。液晶表示装置１００３は、撮像レンズ１００２から入力された光が図示しない撮像素子及び回路構成によって変換された撮影映像や図示しない記録媒体に保存されたデータを再生映像として表示することが可能である。タッチパネル装置１００４は、液晶表示装置１００３の上に重ねる様に配設されている。タッチパネル装置１００４を通して、液晶表示装置１００３に表示される操作ボタンを連想させるためのアイコン１００５を視認することが可能である。
【０００４】
液晶表示装置１００３は、ヒンジ１００６を介して撮像装置本体１００１に回動可能な状態で配設されている。このヒンジ１００６は、２軸方向（軸ａ、軸ｂ）に回転可能である。軸ａは、垂直方向の回転軸である。つまり、液晶表示装置１００３を軸ａに回転させる動作は、液晶表示装置１００３を撮像装置本体１００１から開閉させる動作である。軸ｂは、軸ａに対して直角に配設された水平方向の回転軸である。液晶表示装置１００３を軸ｂに回転させる動作は、撮影者がハイアングル撮影、ローアングル撮影時に液晶表示装置１００３を見やすくする際に行う動作である。
【０００５】
ここで、タッチパネル装置１００４のタッチ操作する動作について説明する。操作部液晶表示装置１００３に、操作ボタンを連想させるアイコン１００５を表示する。タッチパネル装置１００４のタッチ反応領域は、アイコン１００５の表示面積と同等になるようにタッチパネル装置１００４に投影した領域とする。使用者は、このアイコン１００５に向かって指をタッチさせる。そして、このアイコン１００５の上部に配設されているタッチパネル装置１００４の反応領域が反応する。
【先行技術文献】
【特許文献】
【０００６】
【特許文献１】特開２０１２ー１５１５２６号公報
【発明の概要】
【発明が解決しようとする課題】
【０００７】
しかしながら、このような従来装置には、次のような不都合が生じていた。タッチパネル装置が撮影状態の映像を表示する液晶表示装置上に配設されているために、使用者が撮影状態でタッチ操作を行う際、撮影映像を指で遮ることになってしまっていた。従って、撮影映像を確認しづらくなっていた。また、表示面の上に配設されているタッチパネル装置に指紋が付着することで表示される映像が見難くなってしまっていた。また、このような課題に対して撮像装置本体側にタッチパネル装置を具備する提案もされている。
【０００８】
しかしながら、撮像装置本体側にタッチパネル装置を具備した場合では使用者がタッチ操作するタッチパネル装置のタッチセンサ部材と操作アイコンを表示する液晶表示装置の表示画面は厚み方向に距離を持って配設されているため、ハイアングル撮影やローアングル撮影時に使用者がアイコンの表示座標と認識しタッチ操作した座標とアイコン表示機能に対応して設定された反応領域がずれる、いわゆる操作上の視差を生じ、そのために、撮像装置の使い勝手が良くなかった。
【課題を解決するための手段】
【０００９】
本発明の撮像装置は、レンズを具備する撮像装置本体部と、前記本体部に備えられた少なくとも操作機能及び操作の反応箇所または領域を表示可能な第一の表示手段と、その前面に配設されたタッチパネル装置と、撮像画像を表示する前記撮像装置本体から独立した第二の表示手段と、前記第二の表示手段を、前記撮像装置本体に対して収納位置と使用位置に回動可能とする第一の回転軸と使用位置において前記第二の表示手段をチルト方向に回動可能とする第二の回転軸を有するヒンジ手段とを有する撮像装置において、前記第二の回転軸の回転角度検知手段と前記検知手段の出力に基づいて前記タッチパネル装置のタッチ反応領域を移動させる制御手段を有する。
【発明の効果】
【００１０】
本発明によれば、撮像装置本体側にタッチパネル装置を配設することで、撮影映像を表示する液晶表示装置を指にて遮ることが無くなり、また指紋も付着することが無くなることで撮影映像を確認しやすくなるとともに、ハイアングル・ローアングルにおいて、撮像画像を表示する液晶表示装置の撮像装置本体に対する回転角度を検知し、撮像画像を表示する液晶表示装置の回転に連動して指によるタッチパネルへのタッチ操作領域に対しての反応領域を最適な位置へと移動させることによって、視差による操作タッチ領域と反応領域の不一致を無くし、操作性を向上させる。
【図面の簡単な説明】
【００１１】
【図１】本発明の実施例の撮像装置を示す斜視図
【図２】本発明の実施例の撮像装置の構成例を示すブロック図
【図３】タッチパネル装置と操作部液晶表示装置の制御の一例を示すブロック図
【図４】操作上の視差について説明するための概略図
【図５】反応領域の移動について説明するための概略図
【図６】校正処理のためのテストアイコンの一例を示した概略図
【図７】校正処理の一部を示したフローチャート
【図８】従来例の撮像装置を示す斜視図
【発明を実施するための形態】
【００１２】
本発明の実施例を図１〜図７を用いて説明する。図１に示すように、１は、撮像装置本体、２は撮像レンズ、３は撮影時や再生時の映像を表示する液晶表示装置、４はタッチパネル装置、５はタッチパネル装置４の下に配設された操作部液晶表示装置、６は液晶表示装置３を撮像装置本体１に対して２軸方向（軸ａ、軸ｂ）に回転可能な状態とするヒンジである。ヒンジ６内には後述する軸ｂの回転角度検知手段であるロータリーエンコーダー７を配設している。
【００１３】
８はタッチパネル装置４の操作指標として操作部液晶表示装置５上に表示されるアイコン、９は使用者の指、１０は撮影を開始停止するトリガーボタン、１１は撮像装置本体の電源をＯＮ／ＯＦＦする電源ボタン、１２は撮影状態とする撮影モードと記録された映像を確認可能な状態とする再生モードに変換するモード切替スイッチである。
【００１４】
図２は、本実施例の撮像装置の構成例を示すブロック図である。図２において、２はフォーカスレンズを含む撮影レンズ、１３は光学像を電気信号に変換するＣＣＤやＣＭＯＳ素子等で構成される撮像部である。１４はＡ／Ｄ変換器であり、アナログ信号をデジタル信号に変換する。Ａ／Ｄ変換器１４は、撮像部１３から出力されるアナログ信号をデジタル信号に変換するために用いられる。
【００１５】
１５は画像処理部であり、Ａ／Ｄ変換器１４からのデータ、又は、メモリ制御部１６からのデータに対し所定の画素補間、縮小といったリサイズ処理や色変換処理を行う。また、画像処理部１５では、撮像した画像データを用いて所定の演算処理が行われ、得られた演算結果に基づいてシステム制御部１７が露光制御、測距制御を行う。これにより、ＴＴＬ（スルー・ザ・レンズ）方式のＡＦ（オートフォーカス）処理、ＡＥ（自動露出）処理が行われる。画像処理部１５では更に、撮像した画像データを用いて所定の演算処理を行い、得られた演算結果に基づいてＴＴＬ方式のＡＷＢ（オートホワイトバランス）処理も行っている。
【００１６】
Ａ／Ｄ変換器１４からの出力データは、画像処理部１５及びメモリ制御部１６を介して、メモリ１８に直接書き込まれる。メモリ１８は、撮像部１３によって得られＡ／Ｄ変換器１４によりデジタルデータに変換された画像データや、液晶表示装置３に表示するための画像データを格納する。メモリ１８は、所定枚数の静止画像や所定時間の動画像および音声を格納するのに十分な記憶容量を備えている。
【００１７】
また、メモリ１８は画像表示用のメモリ（ビデオメモリ）を兼ねている。１９はＤ／Ａ変換器であり、メモリ１８に格納されている画像表示用のデータをアナログ信号に変換して液晶表示装置３に供給する。こうして、メモリ１８に書き込まれた表示用の画像データはＤ／Ａ変換器１９を介して液晶表示装置３により表示される。
【００１８】
不揮発性メモリ２０は、電気的に消去・記録可能なメモリであり、例えばＥＥＰＲＯＭ等が用いられる。不揮発性メモリ２０には、システム制御部１７の動作用の定数、プログラム等が記憶される。ここでいう、プログラムとは、本実施形態にて後述する各種フローチャートを実行するためのプログラムのことである。
【００１９】
１７はシステム制御部であり、撮像装置本体１全体を制御する。前述した不揮発性メモリ２０に記録されたプログラムを実行することで、後述する本実施形態の各処理を実現する。２１はシステムメモリであり、ＲＡＭが用いられる。システムメモリ２１には、システム制御部１７の動作用の定数、変数、不揮発性メモリ２１から読み出したプログラム等を展開する。また、システム制御部はメモリ１８、Ｄ／Ａ変換器１９、液晶表示装置３等を制御することにより表示制御も行う。
【００２０】
モード切替スイッチ１２、操作部２２はシステム制御部１７に各種の動作指示を入力するための操作手段である。モード切替スイッチ１２は、システム制御部１７の動作モードを動画記録モード、再生モード等のいずれかに切り替える。
【００２１】
トリガーボタン１０を操作することで撮影が開始する。システム制御部１７は、トリガーボタン１０により、撮像部１３からの信号読み出しから記録媒体２３に画像データを書き込むまでの一連の撮影処理の動作を開始する。
【００２２】
２４は電源制御部であり、電池検出回路、ＤＣ−ＤＣコンバータ、通電するブロックを切り替えるスイッチ回路等により構成され、電池の装着の有無、電池の種類、電池残量の検出を行う。また、電源制御部２４は、その検出結果及びシステム制御部１７の指示に基づいてＤＣ−ＤＣコンバータを制御し、必要な電圧を必要な期間、記録媒体２３を含む各部へ供給する。
【００２３】
２５は電源部であり、アルカリ電池やリチウム電池等の一次電池やＮｉＣｄ電池やＮｉＭＨ電池、Ｌｉ電池等の二次電池、ＡＣアダプター等からなる。２６はメモリカードやハードディスク等の記録媒体２１とのインターフェースである。記録媒体２１は、メモリカード等の記録媒体であり、半導体メモリや磁気ディスク等から構成される。なお操作部２２の一つとして、タッチパネル装置４を有する。
【００２４】
図３は、図２に示す操作部２２の一つであるタッチパネル装置４と操作部液晶表示装置５の制御についての一例を示すブロック図である。ＣＰＵ２７はこのタッチパネル装置４と操作部液晶表示装置５の動作を制御するとともに撮像装置本体１とデータのやりとりをするための物である。
【００２５】
不揮発性メモリ２０は、ＣＰＵ２７の動作制御プログラム等のデータを記憶するための物であり、システムメモリ２１はＣＰＵ２７のワークエリア等を構成するための物である。バスインターフェース２８はこの操作部液晶表示装置５を撮像装置本体１の内部バス３０に接続して撮像装置本体１のシステム制御部１７との間でデータのやりとりをするため物である。なお、この場合システムメモリ２１には操作部表示装置５に固有な校正テーブル等を保存するのでシステムメモリ２１としてはバッテリバックアップされるＳＲＡＭ等を用いて、不揮発性記憶装置として構成することが望ましい。
【００２６】
ロータリーエンコーダー７は、ヒンジ６の軸ｂの回転角度、すなわち液晶表示装置３の撮像装置本体１に対しての回転角度を検出する物であり、このロータリーエンコーダー７から出力される角度検出信号は、Ａ／Ｄ変換器３１に加えられる。Ａ／Ｄ変換器３１は、ロータリーエンコーダー７出力された角度検出信号を対応するデジタル信号に変換する物である。液晶表示制御部３２は、操作部液晶表示装置５の表示内容を制御する物であり、ＶＲＡＭ３３は操作部液晶表示装置５に表示する表示データを保持するための物である。
【００２７】
タッチパネル装置４は、操作部液晶表示装置５の上側に重ねて配設されており、タッチ操作された座標データや、タッチ状態データなどを入力するための物であり、タッチパネル判定部３４は、タッチパネル装置４の動作を制御する。これらのＣＰＵ  ２７、不揮発性メモリ２０、システムメモリ２１、バスインターフェース２８、Ａ／Ｄ変換器３１、液晶表示制御部３２、ＶＲＡＭ３３  およびタッチパネル装置判定部３４はそれぞれ内部バス２５に接続されておりこれらの各要素間のデータのやりとりは主としてこの内部バス３０を介してなされる。
【００２８】
次に、操作上の視差について説明する。図４は、操作上の視差について説明する概略図である。図４に示すように、タッチパネル装置４は、透明なプラスティックやガラスから成るベース部材の上に２枚の薄い透明電極を形成したフィルムを重ねて構成される。この２枚のフィルム接点を検出するために操作された操作検出面４ａはタッチパネル装置４の表面近くに有る。また、操作部液晶表示装置５の表示面５ａとタッチパネル装置４の操作検知面４ａとは製造上の制約などから有る程度の距離Δｄ（１ｍｍ程度）が発生する。
【００２９】
ここで、撮影者が表示面５ａに対して直角以外の方向からこの操作部液晶装置５を覗き込んだ場合、例えば表示面５ａの表示位置Ｐａを通る視線は、操作検出面４ａでタッチ位置Ｐｂを通りこの表示位置Ｐａと操作検出面４ａの真上に投影したＰｃとタッチ位置ＰｂとはΔＰだけずれる。すなわち、撮影者が表示面５ａの表示位置Ｐａをタッチしようとして表示位置Ｐａを見つめながらタッチ操作すると実は操作検出面４ａではタッチ位置Ｐｂがタッチされることとなり、通常表示位置の真上に設定されている操作検出領域の中心と実際のタッチ入力された座標が距離ΔＰに相当する分だけずれてしまう。
【００３０】
ハイアングル撮影では、使用者は液晶表示装置３を撮像装置本体１から軸ｂ中心に回転させて本体底面側から覗き込んだ状態となる。また、ローアングル撮影では、使用者は液晶表示装置３を軸ｂ中心に回転させて本体天面から覗き込んだ状態となる。つまり、ハイアングル撮影、ローアングル撮影では、液晶表示装置３を正対して視認するために、操作部液晶表示装置５は斜めから視認することとなり前述のようにタッチ領域と反応領域に視差が発生する。
【００３１】
本実施例では、ヒンジ６の回転角度に応じて、標準的に具備している視差によるタッチ領域と反応領域の座標補正データを用いて補正を行う。ＣＰＵ２７が、タッチパネル判定部３４に働きかけ、ヒンジ６の回転角度に対応して、この座標補正データを用いてアイコン８に対する反応領域３５を移動させる。図５に示すように、視差によって発生する距離Δｐだけ反応領域３５を移動させる。つまり、ハイアングル撮影では、液晶表示装置の表示面が撮像装置本体の底部側に向くように回転させて撮影している。この場合、撮像装置本体に配設されたタッチパネル装置のタッチ表示領域をアイコン表示領域の投影位置から撮像装置本体の底面側に移動させる。
【００３２】
ローアングル撮影では、液晶表示装置の表示面が撮像装置本体の天面を向くように回転させて撮影している。この場合、撮像装置本体に配設されたタッチパネル装置のタッチ表示領域をアイコン表示領域の投影位置から撮像装置本体の天面側に移動させる。こうすることで、操作上の視差を解消することが可能となる。
【００３３】
前述のように、液晶表示装置３の回転角度に連動して反応領域を移動させる補正データを標準で具備しているが、使用者固有の補正データを取得する場合について説明する。まず、撮像装置本体１に対して液晶表示装置３を軸ｂに任意の位置に回転させて使用状態にする。図６に示すように、操作部液晶表示装置５の四隅にテストアイコン３６を一つずつ順次表示させて計４つのテストアイコン３６を使用者にタッチさせる。
【００３４】
そして、ＣＰＵ２７がそれぞれのテストアイコン３６の表示座標と入力座標のずれを検出して（以下、この動作を校正処理という）、その検出したずれデータとヒンジ６の回転角度を関連付けて座標校正データを算出する。この座標校正データは、システムメモリ２１に記憶される。ＣＰＵ２７が、タッチパネル判定部３４に働きかけ、この座標校正データからヒンジ６の回転角度に対応してアイコン８に対する反応領域３５を移動させる。
【００３５】
図７は、校正処理の一部を示したフローチャートである。まず、校正処理を行うためのガイダンスメッセージを表示する（処理１０１）。撮影者が校正処理を実行するかどうかを待つ（判断１０２）。ＮＯの場合は校正処理を終了する。また、撮影者が実行を選択した場合では、液晶表示装置３を回転させるかどうかを待つ（判断１０３）。撮影者が液晶表示装置３を回転させるとテストアイコン３６を一つ表示する（処理１０４）。タッチ入力が有るかどうかを待つ（判断１０５）。
【００３６】
タッチ入力が有ると座標を入力する（処理１０６）。タッチ入力が有ると座標を保存する（処理１０７）。すべてのテストアイコン３６に対する処理を終了したかどうかを調べる（判断１０８）。判断１０８の結果がＮＯになるときには次のテストアイコン３６を選択（処理１０９）して処理１０４に戻り次のテストアイコン３６に対する校正処理を実行する。
【００３７】
また、すべてのテストアイコン３６について入力座標を得た場合で、判断１０８の結果がＹＥＳになるときには、そのときのロータリーエンコーダー７から得られる液晶表示装置３の回転角度に応じた校正用テーブル（テストアイコン３６と入力座標の組のデータ）を作成して（処理１１０）保存し（処理１１１）、この校正処理を終了する。校正データの算出については、液晶表示装置３の一つの回転角度に対する複数のテストアイコン３６の入力座標を得ることから算出することが可能となる。校正データ処理としては、単純に入力座標とテストアイコン３６とのオフセットデータとして利用する。また、入力座標と複数のテストアイコン３６のオフセットデータの平均値等を用いることも可能である。
【００３８】
この校正処理結果を用いることで、液晶表示装置３を軸ｂ中心に回転させて使用する場合（ハイアングル撮影・ローアングル撮影）に有ってもアイコン８に対して反応領域３５を使用者固有の反応位置に移動させる事が可能となり、より精度の良い補正が可能となる。
【００３９】
このように本実施例によれば、操作上の視差を解消することが可能となり使い勝手が向上する。
【００４０】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【００４１】
なお、上述した実施の形態の処理は、各機能を具現化したソフトウェアのプログラムコードを記録した記憶媒体をシステム或いは装置に提供してもよい。そして、そのシステム或いは装置のコンピュータ（又はＣＰＵやＭＰＵ）が記憶媒体に格納されたプログラムコードを読み出し実行することによって、前述した実施形態の機能を実現することができる。
【００４２】
この場合、記憶媒体から読み出されたプログラムコード自体が前述した実施形態の機能を実現することになり、そのプログラムコードを記憶した記憶媒体は本発明を構成することになる。このようなプログラムコードを供給するための記憶媒体としては、例えば、フロッピィ（登録商標）ディスク、ハードディスク、光ディスク、光磁気ディスクなどを用いることができる。或いは、ＣＤ−ＲＯＭ、ＣＤ−Ｒ、磁気テープ、不揮発性のメモリカード、ＲＯＭなどを用いることもできる。
【００４３】
また、コンピュータが読み出したプログラムコードを実行することにより、前述した各実施の形態の機能が実現されるだけではない。そのプログラムコードの指示に基づき、コンピュータ上で稼動しているＯＳ（オペレーティングシステム）などが実際の処理の一部又は全部を行い、その処理によって前述した各実施例の機能が実現される場合も含まれている。
【００４４】
さらに、記憶媒体から読み出されたプログラムコードが、コンピュータに挿入された機能拡張ボードやコンピュータに接続された機能拡張ユニットに備わるメモリに書きこまれてもよい。その後、そのプログラムコードの指示に基づき、その機能拡張ボードや機能拡張ユニットに備わるＣＰＵなどが実際の処理の一部又は全部を行い、その処理によって前述した各実施の形態の機能が実現される場合も含むものである。
【符号の説明】
【００４５】
１  撮像装置本体、２  撮像レンズ、３  液晶表示装置、４  タッチパネル装置、
５  操作部液晶表示装置、６  ヒンジ、７  ロータリーエンコーダー、８  アイコン、
３５  反応領域、３６  テストアイコン
【図１】
2016025481.tif 000003
【図２】
2016025481.tif 000004
【図３】
2016025481.tif 000005
【図４】
2016025481.tif 000006
【図５】
2016025481.tif 000007
【図６】
2016025481.tif 000008
【図７】
2016025481.tif 000009
【図８】
2016025481.tif 000010